(57)【要約】【課題】近年、和装下着の地衿形状は、衿巾の広い形状の広幅地衿（２ｂ）に移行されつつある。その広幅地衿（２ｂ）に従来のバチ衿型形状の衿芯（４）を挿入しても地衿の幅が広すぎて衿芯本体が幅移動でずれて、張りのある美しい和装下着の衿が形成出来ない。【解決手段】バチ衿型形状の衿芯（５）の衿山線上（５ｃ）の衿芯底辺近傍（５ｂ）に開口部（５ｄ）を設けた。その開口部を利用して、広幅地衿（２ａ）を最大限の幅に広幅のバチ衿型地衿（２）を縫い留める事が可能になり、又、衿芯が広幅型地衿から脱落するのを防ぐ開口部（５h）を設けた。又、衿芯先部分（５a）と衿芯底辺部（５b）に長さを裁断用の目安線（５g）を設けたことでバチ衿型形状の衿芯（５）の長さが最適な状態になる。又、衿付け線上（５e）に幅の裁断用の目安線（５i）を設けたので多様な広幅地衿（２ａ）の地衿幅（２b）に対応でき、和装下着が衿元の美しい状態を継続出来る。【選択図】図６
2020029641.tif 000002
【特許請求の範囲】
【請求項１】
和服を着用時に和服の衿元から衿山線上部分が見える和装下着において、その地衿と半衿の隙間に挿入して使用する後入れ用の衿芯であって、和装下着の衿型であるバチ衿型形状で同型の２枚組からなり、左右２方向から挿入して使用し、それぞれの先入部分（５ａ）が衿の背中心（７）を通過し、相対する衿肩回り（６）で重なり合う２重構造となることを特徴とするバチ衿型形状の衿芯（５）において、開口部（５d）を設け、前記開口部（
５d）は、前記バチ衿型形状の衿芯（５）の衿山線上（５ｃ）に設けられていることを特徴とするバチ衿型形状の衿芯（５）。
【請求項２】
前記バチ衿型形状の衿芯（５）において、衿芯の底辺（５ｂ）の付近に裁断の目安となる目安線（５f）を入れた事を特徴とする請求項１に記載のバチ衿型形状の衿芯（５）。
【請求項３】
前記バチ衿型形状の衿芯（５）において、開口部（５k）を設け、前記開口部（５k）は、前記バチ衿型形状の衿芯（５）の衿付け線上（５e）に設けられている事を特徴とする請求項１に記載のバチ衿型形状の衿芯（５）。
【請求項４】
前記バチ衿型形状の衿芯（５）において、衿付け線側（５e）に沿って、前記バチ衿型形状の衿芯の端から端に裁断の目安となる目安線（５m）を入れた事を特徴とする請求項１に記載のバチ衿型形状の衿芯（５）。
【発明の詳細な説明】
【技術分野】
【０００１】
本発明は、和服を着用時に、和服の衿元から衿山線上部分（３ｂ）が見える広幅地衿（２ａ）の和装下着において、広幅地衿の幅を広幅のバチ衿型地衿（２）の衿幅（２ｂ）に折り込み、広幅地衿と折り込んだ地衿（２ｄ）との間に挟んで使用する後入れ用のバチ衿型形状の衿芯（５）に関する。
【背景技術】
【０００２】
従来の和装下着の地衿の形状はバチ衿型地衿（１ａ）である。そのバチ衿型地衿の長手方向に２つ折りした半衿（３）が表裏両側に掛けてある。そして、和服を着用時に、バチ衿型地衿の表側と半衿との隙間に、プラスチック製等のバチ衿型形状の衿芯（４）を、左右の半衿先方向（３ａ）から後入れすると、バチ衿型地衿の地衿幅（１ｂ）一杯に、バチ衿型形状の衿芯（４）が隙間無く挿入され、和服を着用した時に見える、和装下着の衿山線上部分（３ｂ）に張りが出て、理想的な美しい衿元が形成される。
【０００３】
しかしながら、現代人はメリハリの有る、隆起に富んだ体型に変化してきている。それに応じて、近年においては、和装下着の地衿形状が背中心（８）から衿先にむかって広くなる従来のバチ衿型地衿（１ａ）から、地衿幅（２ｃ）が同じ広い寸法で均一に形成され、胸囲に応じて地衿幅（２ｂ）を最大限に広げる事が可能な広幅地衿（２ａ）が多用されつつある。又、広幅地衿（２ａ）は和装下着のあるべき形のバチ衿型に縫製されていないので、たちまち広幅地衿の衿先部分（２ｂ）が広幅状態のまま広がって、着付けの土台となる和装下着の衿元を形成する事さえ出来難いので、着付け作業が難しい。
その上、個々の広幅地衿（２ａ）の幅が微妙に異なるので、バチ衿型形状の衿芯（５）の衿幅が広幅のバチ衿型地衿（２）の衿幅と微妙に異なり、その都度、硬い衿芯を歪みながら裁断するという作業が困難である。
【０００４】
この様な問題を解決する為に、和装姿の土台となるべく和装下着の地衿を、張りの有る美しい衿元にする為や、確実な衿合わせが継続出来る、後入れ用の衿芯の考案がなされてきた。例えば特許文献１の衿芯がある。
【先行技術文献】
【特許文献】
【０００５】
【特許文献１】特許第4979028号 バチ衿型形状の衿芯
【発明の概要】
【発明が解決しようとする課題】
【０００６】
特許文献１には和装下着のバチ衿型地衿と半衿（３）の隙間に挿入して、バチ衿型地衿の衿幅一杯にバチ衿型形状の衿芯（４）を挿入し、和装下着の衿山線上（３ｂ）に美しい張りを持たせる発明が開示されている。
【０００７】
しかしながら、特許文献１は旧来の和装下着に用いられたバチ衿型地衿（１ａ）にしか対応出来ず、現代人の隆起に富んだ体型を考慮して、近年、和装下着に多用されつつある和装下着の広幅地衿（２ａ）では、広幅地衿の生地の地衿幅（２ｃ）が着物と同形で同一寸法の広衿と総称される状態であるので、半衿（３）と広幅地衿（２ａ）の隙間に挿入しても、従来のバチ衿型地衿（１ａ）の地衿幅（１ｂ）より、広幅地衿の生地の地衿幅（２b）が広いので大幅に幅移動する遊びが有り、衿芯のズレが大きく生じ、張りのある美しい和装下着の衿が形成出来ない。つまりは、近年、多用されている現代人の体型に合った、和装下着の広幅地衿（２ａ）に対応出来ないという問題がある。又、衿芯の長さは着姿に重大な影響を及ぼす。現代人の隆起に富んだ体型によって衿合わせをする位置が、胸の頂上で有ると、衿芯によって持ち上がった和装下着の衿元が体から離れて浮いた状態になり、衿元から胸元の補正や肌が見えてしまい、着崩れた状態になる。
【０００８】
本発明は前記のような課題に鑑み、その課題を解決すべく発明されたものであって、その 目的とするところは、和服を着用時に和服の衿元から衿山線上部分（３ｂ）が見える近年の広幅地衿（２ａ）の和装下着において、バチ衿型状の衿芯（５）を使用する時に、従来のバチ衿型地衿（１ａ）の地衿幅（１ｂ）より、現代人の体型に合った広い地衿幅（２ｂ）を確保する為、バチ衿型形状の衿芯（５）と広幅地衿（２ａ）を縫着して広幅のバチ衿型地衿（２）を形成し、和装下着の衿元が美しく継続出来ることを目的としている。又、着姿に多大な影響を及ぼすバチ衿型形状の衿芯（５）の長さを、個々の着用者の体型に合う、最良の長さに簡単に調節出来る事を目的としている。又、個々の広幅地衿の幅（２b）が微妙に異なる事を想定して、バチ衿型形状の衿芯（５）の衿幅を広幅のバチ衿型地衿の衿幅（２b）に合せて裁断する為の目安線を、衿付け線側（５e）に沿って、端から端に入れて、最適な幅に正確に裁断をすることが出来ることを目的としている。
【課題を解決するための手段】
【０００９】
本発明は、和服を着用時に和服の衿元から衿山線上部分が見える、近年の広幅地衿生地（２ａ）の和装下着において、先ず、背中心（７）で広幅地衿生地（２ａ）の元来の地衿幅（２ｃ）を半分に折り、折った部分を縫い付け、幅を半分にする。
（２ｃ）を半分に折り、折った部分を縫い付け、幅を半分にする。そして、縫い付けた地衿の隙間にバチ衿型形状の衿芯（５）を左右の半衿先（３ａ）から挿入し、背中心（８）で、重なった状態で固定する。又、広幅地衿の衿先部分（２ｂ）においてはバチ衿型形状の衿芯（５）の幅に沿って広幅地衿生地（２ａ）の元来の地衿幅（２ｃ）を衿幅線（２ｅ）で折り込み、その生じた折目の隙間にバチ衿型形状の衿芯（５）を挟んだ状態で挿入し、バチ衿型形状の衿芯の衿先部分の衿山線上（５ｃ）に設けている開口部（５d）の位置で、３枚を重ねたまま縫い留める。また、バチ衿型形状の衿芯（５）において、開口部（５k）を前記バチ衿型形状の衿芯（５）の衿付け線上（５e）に設ける。その衿芯の衿付け線上（５e）に設けた開口部（５k）において、地衿（２）と半衿（３）そして本発明のバチ衿形状型の衿芯（５）を縫いとめる事により確実に衿芯が固定され、美しい衿元を形成することができる。
【発明の効果】
【００１０】
本発明においては、広幅地衿生地（２ａ）とその折返し部分（２ｄ）で挟んだ状態のバに縫い留める事が可能になる。その事によってバチ衿型形状の衿芯（５）の衿芯底辺部分（５ｂ）の衿山線上（５ｃ）に設けてある開口部（５d）の位置で、広幅地衿（２ａ）を現代人の体型に合った理想的な広幅のバチ衿型地衿（２）に固定する事が出来るので、美しい衿合わせの維持が可能になる。
【００１１】
又、和服を着用時に和服の衿元から衿山線上部分（３ｂ）が見える、近年の和装下着の広幅地衿生地（２ａ）においても、和服を着用の際には地衿本来のバチ衿型を成形する必要が有るが、広幅地衿生地（２ａ）は衿自体がバチ衿型に縫製されていないので、直ぐに広幅の状態に戻ろうとする。その過程で、広幅地衿生地（２ａ）とバチ衿型形状の衿芯（４）が離れ、衿山線が固定できずに衿元が緩み、着崩れが始まる。しかし、バチ衿型形状の衿芯（５）において、衿山線上（５ｃ）に設けた開口部（５d）と地衿との３枚を縫い留めると、地衿の衿山線上部分（３ｂ）は美しい張りと適度な硬さを有した、美しい衿を形成出来る。
【００１２】
そして、近年の広幅地衿生地（２ａ）の和装下着において現代人の体型を考慮する為には、従来のバチ衿型地衿の地衿幅（１ｂ）より広く、広幅のバチ衿型地衿（２）としての衿型を形成する必要が有るが、開口部（５d）を最適な位置に設けているので、３枚を重ねたまま楽に縫い付けることが出来る。広幅地衿生地（２ａ）の地衿幅（２ｂ）を最大限に利用する事が可能になり、勿論、本発明のバチ衿型形状の芯（５）がズレたり緩みを生じる事もなく、張りのある美しい衿が継続される。その上、本発明の衿芯の衿付け線上（５e）に設けた開口部（５k）と、衿山線上（５c）に設けられた開口部（５d）との２箇所で縫い留める事で、より確実に本発明のバチ衿形状型の衿芯（５）が広幅地衿生地（２ａ）に固定される。それゆえに、通常の長襦袢だけでなく、日舞などの舞台衣装や花嫁衣装の打ち掛けの下に着る特別な長襦袢の衿にも利用できる。
【００１３】
何より、従来のバチ衿型形状の衿芯（４）には、開口部（５ｄ）を設けてなかったので、広幅地衿の衿幅を固定する時には、広幅地衿の生地（２ａ）を衿芯幅線（２ｅ）で衿芯幅（２ｂ）に折り込み、ポリエステル製等の硬い衿芯を挟んで、３枚を貫いて縫い留めるのは熟練の和裁士でも困難な作業である。その上、緩みが無いように素早く縫おうとしても、生地と衿芯が硬い上に３枚重ねの厚さなので針が折れ、指を針で突く等して、時間を要していたが、前もって一番良い位置に開口部（５d）が有るので、広幅のバチ衿型地衿幅（２ｂ）が形成でき、又、衿型の目安にもなり、何より簡単で楽に作業が出来るという効果がある。
【００１４】
さらに、従来のバチ衿型形状の衿芯（４）には、衿芯の長さを調節して裁断する為に、必要な目安線（５ｆ）が入ってなかったが、衿芯の長さは着用者の体型や着姿に大きな影響を及ぼしている。長すぎると、胸元で跳ね上がり衿合わせが美しく継続出来ないが、長さの裁断目安線（５f）を衿芯底辺部（５b）に複数印字してあるとので、体型や好みの長さで簡単に裁断する事が出来る。又、衿芯先入れ部（５a）にも長さの裁断目安線（５g）を複数印字すると、衿芯の裁断が２方向で可能になるので、より効果的に体型や着用目的に合わせた着こなしを提供できる。
【００１５】
つまり、バチ衿型形状の衿芯（５）に設ける本発明の、衿芯底辺部分（５ｂ）の衿山線上（５ｃ）にある開口部（５d）と衿芯底辺部分（５ｂ）に設けた裁断の目安線（５f）は、和装着用者の体型変化や、それによって近年、多用されつつある和装下着の広幅地衿（２ａ）に対応でき、着崩れにくい和装下着の着付けを提供出来る。その上、衿芯先入れ部（５a）にも長さの裁断目安線（５g）を複数印字すると、衿芯の裁断が両方向で可能になるので、より効果的に体型や着用目的に合わせた着こなしを提供できる。
【００１６】
そして、個々の広幅地衿（２ａ）の地衿幅（２b）が微細に異なる事を想定して、バチ衿型形状の衿芯（５）の衿幅を広幅のバチ衿型地衿（２）の衿付け線側（５e）に沿って、端から端に裁断の目安となる目安線（５i）が複数印字してあるので、バチ衿型形状の衿芯の幅（５）を最適な幅で確実に裁断が出来る事を目的としている。
【図面の簡単な説明】
【００１７】
【図１】従来のバチ衿型地衿（１）の着用図である。
【図２】広幅型地衿（２ａ）を広幅のバチ衿型地衿（２）に形成して着用した和装下着の着用姿である。
【図３】従来のバチ衿型地衿（１ａ）の生地の全体図である。
【図４】広幅型地衿（２ａ）の生地の全体図である。
【図５】従来のバチ衿型形状の衿芯（４）である。
【図６】本発明のバチ衿型形状の衿芯（５）に長さを裁断する目安線が衿芯底辺部（５b）と衿先部（５a）の両端部分に複数印字されている。
【図７】本発明のバチ衿型形状の衿芯（５）に幅を裁断する目安線（５i）が衿付け側（５e）に複数印字されている。
【図８】本発明のバチ衿型形状の衿芯（５）の衿芯底辺部（５ｂ）の拡大である。
【図９】広幅型地衿生地（２ａ）に本発明のバチ衿型形状の衿芯（５）を設置する位置である。
【図１０】広幅型地衿生地（２ａ）を本発明のバチ衿形状の衿芯（５）に添って衿芯幅線（２ｅ）で広幅のバチ衿形状地（２）に折り、折り込んだ地衿（２ｄ）と生地（７ａ）の隙間に衿芯（５）を縫い留めて、固定した図である。
【図１１】広幅型地衿（２ａ）を本発明のバチ衿形状の衿芯（５）に添った衿の衿芯幅線（２ｅ）で広幅のバチ衿形状地衿（２）に折り込み、その隙間に衿芯を挟み、衿山線上（５c）に設けた開口部（５d）と、衿付け線側（５e）に設けられている開口部（５h）の位置で縫い留めた状態の側面図である。
【発明を実施するための形態】
【００１８】
本発明の衿芯の開口部（５ｄ）とは、バチ衿型形状の衿芯（５）において、衿山線上（５ｃ）の衿芯底辺部分（５ｂ）に２箇所設けたものと、衿付け側（５e）に一箇所設けた（５k）である。
【００１９】
本発明のバチ衿型形状の衿芯（５）の開口部（５d）は衿山線上（５ｃ）に設けている。現代人の体型を考慮して、近年の和装下着は広幅地衿（２ａ）に移行しているので、従来のバチ衿型地衿（１ａ）の地衿幅（１ｂ）より最大限の広い地衿幅（２ｂ）で、地衿（２ａ）と衿芯（５）を縫着する事が出来るのは衿山線上（５ｃ）が最適である。
【００２０】
そして、最大限の広い地衿幅（２ｂ）を作るのに必要な衿芯の開口部（５ｄ）の位置は、衿山線上線（５ｃ）から好ましくは０．５cm〜２cmであり、より好ましくは０．９〜１．１cmである。又、開口部の形状は丸型であり、その直径は３mm〜７mmが好ましく、より好ましいのは４．５mm〜５．５mmである。
【００２１】
又、衿付け線側（５e）に一箇所設けた開口部（５k）は、衿芯の長さを裁断した時にも消滅する事なく、本発明のバチ衿型形状の衿芯（５）と衿付け線側（５h）の生地を開口部（５k）で固定できるのは衿芯底辺部（５ｂ）からの距離は、好ましくは、５cm〜１２cmだが、衿芯を裁断する場合に備えてより好ましい位置が４．５cm〜６．５cmと８．５cm〜１０．５cmである。
【００２２】
前記、開口部（５ｄ）は、バチ衿型形状の衿芯（５）の衿芯底辺部分（５ｂ）に設けている。バチ衿型形状の衿芯を和装下着に使用した場合、和服を着用時に和服の衿元から衿山線上部分（３ｂ）が見える和装下着の衿元部分には縫着出来ないが、衿先部分は見えないので安心である。衿芯底辺部（５ｂ）からの距離は、好ましくは、５cm〜１２cmだが、衿芯を裁断する場合に備えてより好ましい位置が４．５cm〜６．５cmと８．５cm〜１０．５cmである。
【００２３】
そして、本発明のバチ衿型形状の衿芯（５）の衿芯幅を底辺部分（５b）で確実に固定するためにも衿付け側（５h）からの開口部（５k）の位置は好ましくは０．５cm〜２cmであり、より好ましくは０．９〜１．１cmである。又、開口部の形状は丸型であり、その直径は３mm〜７mmが好ましく、より好ましいのは４．５mm〜５．５mmである。
【００２４】
又、発明の衿芯の目安線（５ｆ）は、バチ衿型形状の衿芯（５）において、衿芯底辺部分（５ｂ）と衿芯の先入れ部分（５a ）の左右の両端部分に２本ずつ設けている。
【００２５】
衿芯の長さは着用者の体型や着姿に大きな影響を及ぼしている。和装下着を着用した場合、着物の種類や格に応じて着付け方法が変わってくる、又、和装下着の地衿（２）に掛けてある半衿（３）の長さも一定でないので、それらを考慮しての２本の長さの裁断目安線（５ｆ）が必要となってくる。バチ衿形状の衿芯（５）が長すぎると、胸元で跳ね上がり衿合わせが不安定になり美しく継続出来ないので、長さ調節が出来る裁断目安線（５ｆ）を衿芯の底辺部（５ｂ）に複数印字してあり、半衿から出てしまう時には簡単に裁断出来る。又、衿芯の先入れ部分（５a）にも長さ調節の裁断目安線（５g）が複数印字されているので、体型や衿抜きの状態を考えても衿芯の長さには余裕があるので、最良の位置で裁断する事が出来る。又、左右のバチ衿型形状の衿芯（５）の長さを揃えて裁断するのも簡単である。
【００２６】
衿芯先入れ部（５a）にも長さの裁断の目安線（５g）を複数印字すると、衿芯の裁断が両方向で可能になるので、より効果的に体型や着用目的に合わせた着こなしを提供できる。
前記目安線（５g）はバチ衿型形状の衿芯の先入れ部（５a）から２cm〜６cmの間であれば良く、本数も何本でもよいが、好ましいのは１．５cm〜２．５cmと３．５cm〜４．５cmの２本である。
衿芯底辺部（５b）の目安線（５ｆ）はバチ衿型形状の衿芯の衿底辺（５ｂ）から２cm〜６cmの間であれば良く、本数も何本でもよいが、好ましいのは１．５cm〜２．５cmと３．５cm〜４．５cmの２本である。
【００２７】
又、本発明のバチ衿型形状の衿芯（５）の衿付け線側（５h）の付近に設けた幅の裁断目安線（５i）は衿付け線側（５h）に沿って、端から端に設けられている。
衿芯の底辺部（５ｂ）から複数の位置で衿先の先入れ部（５a）に向かって終着点（５j）に集約する形状で複数の印字がある。
【００２８】
衿芯の底辺部（５ｂ）の衿付け線上（５e）から０.３cm〜２.２cmの間であれば良く、本数も何本でもよいが、好ましいのは０.２cm〜０.６cmと１.５cm〜１.８の２本である。
そして、衿芯先入れ部（２a）の衿芯つけ線上（５e）の一点である終着点（５j）に集約する。複数の目安線（５i）の中から、広幅地衿（２a）の地衿幅（2b）に合わせて裁断するのだが、少しずつ衿幅と合わせながら慎重に裁断して使用するので、どの様な寸法の衿にも対応が可能になる。
【００２９】
本発明はプラスチック等の材質で製作されるが、弾力性と復元力が最も適しているのは、発泡ポリエチレン製のものである。
【符号の説明】
【００３０】
１      従来のバチ衿型地衿 
１ａ    従来のバチ衿型地衿の生地 
１ｂ    従来のバチ衿型地衿 の地衿幅
２      広幅のバチ衿型地衿 
２ａ    広幅地衿の生地
２ｂ    広幅のバチ衿型地衿の地衿幅
２ｃ    広幅地衿生地の地衿幅
２ｄ    折り込んだ地衿
２ｅ    衿芯幅線
３      半衿
３ａ    半衿先
３ｂ    和装下着の衿元の衿山線上部分
４      従来のバチ衿型形状の衿芯
４ａ    従来のバチ衿型形状の衿芯の先入れ部分
４ｂ    従来のバチ衿型形状の衿芯底辺部
４ｃ    従来のバチ衿型形状の衿山線上
５      本発明のバチ衿型形状の衿芯
５ａ    本発明のバチ衿型形状の衿芯の先入れ部分
５ｂ    本発明のバチ衿型形状の衿芯底辺部
５ｃ    本発明のバチ衿型形状の衿芯の衿山線上
５ｄ    衿山線上の開口部
５ｅ    衿付け線側
５ｆ    衿芯底辺部にある衿芯の長さの裁断用目安線
５ｇ    衿芯の先入れ部にある衿芯の長さの裁断用目安線
５ h    衿付け線上の開口部
５ i    衿芯の幅の裁断用目安線
5  j    目安線の終着点
６      和装下着の衿肩明の位置
７      和装下着の背中心の位置
【図１】
2020029641.tif 000003
【図２】
2020029641.tif 000004
【図３】
2020029641.tif 000005
【図４】
2020029641.tif 000006
【図５】
2020029641.tif 000007
【図６】
2020029641.tif 000008
【図７】
2020029641.tif 000009
【図８】
2020029641.tif 000010
【図９】
2020029641.tif 000011
【図１０】
2020029641.tif 000012
【図１１】
2020029641.tif 000013